(57)【要約】【課題】  受信した放送波の規格が変更しても、そのような変化に柔軟に対応することができ、しかも構成が簡単でかつ安価なテレビジョン信号処理装置を提供する。【解決手段】  格納部は受信した放送波から分離された映像データおよび副次的情報と、受信側で生成したＯＳＤデータとを格納し、読み出し部は格納されている映像データと副次的情報とＯＳＤデータとを個別的に読み出し、規格検出部は受信した放送波の規格を検出し、タイミング制御部は検出された規格に対応して、前記読み出し手段が前記格納手段から映像データとＯＳＤデータと副次的情報とを読み出すタイミングを個別的に制御し、合成部は読み出された像データとＯＳＤデータと副次的情報とを合成してテレビジョン信号として出力する。【選択図】  図１ 
2005253108.tif 000002
【特許請求の範囲】
【請求項１】
受信した放送波を処理してテレビジョン信号を生成するテレビジョン信号処理装置であって、
受信した放送波から分離された映像データおよび副次的情報と、受信側で生成したＯＳＤデータとを格納する格納手段と、
前記格納手段から映像データと副次的情報とＯＳＤデータとを個別的に読み出す読み出し手段と、
受信した放送波の規格を検出する規格検出手段と、
前記規格検出手段によって検出された規格に対応して、前記読み出し手段が前記格納手段から映像データとＯＳＤデータと副次的情報とを読み出すタイミングを個別的に制御するタイミング制御手段と、
前記読み出し手段が読み出した映像データとＯＳＤデータと副次的情報とを合成してテレビジョン信号として出力する合成手段とを備えることを特徴とする、テレビジョン信号処理装置。
【請求項２】
前記放送波は、ディジタル放送波である、請求項１に記載のテレビジョン信号処理装置。
【請求項３】
前記タイミング制御手段は、
放送波の規格別に、読み出し手段の読み出しタイミングを規定するためのタイミング情報を記憶した記憶手段と、
前記規格検出によって検出された規格に対応するタイミング情報を前記記憶手段から参照して、前記読み出し手段に与える参照手段とを含み、
前記読み出し手段は、前記参照手段から与えられるタイミング情報に対応するタイミングで前記格納手段から映像データと副次的情報とＯＳＤデータとを個別的に読み出すことを特徴とする、請求項１に記載のテレビジョン信号受信装置。
【請求項４】
前記記憶手段は、
放送波の規格別に映像データおよびＯＳＤデータの読み出しタイミングを規定するためのタイミング情報を記憶した第１のテーブルメモリと、
放送波の規格別にかつ副次的情報の内容別に副次的情報の読み出しタイミングを規定するためのタイミング情報を記憶した第２のテーブルメモリとを含み、
参照手段は、第１のテーブルメモリを参照することによって、映像データおよびＯＳＤデータの読み出しタイミングを規定するためのタイミング情報を読み出し手段に与え、第２のテーブルメモリを参照することによって、副次的情報の読み出しタイミングを規定するためのタイミング情報を読み出し手段に与えることを特徴とする、請求項３に記載のテレビジョン信号受信装置。
【請求項５】
前記読み出し手段によって読み出された副次的情報の出力レベルを変換するレベル変換手段をさらに備え、
前記合成手段は、前記読み出し手段が読み出した映像データおよびＯＳＤデータに、レベル変換手段によって出力レベルが変換された副次的情報を合成することを特徴とする、請求項１に記載のテレビジョン信号受信装置。
【請求項６】
前記レベル変換手段は、副次的情報の出力レベルを前記規格検出手段によって検出された規格ごとに決められたレベルに変換することを特徴とする、請求項５に記載のテレビジョン信号受信装置。
【発明の詳細な説明】
【技術分野】
【０００１】
本発明は、テレビジョン信号処理装置に関し、より特定的には、受信した放送波を処理してテレビジョン信号を生成するテレビジョン信号処理装置に関する。
【背景技術】
【０００２】
近年、テレビジョン放送のディジタル化に伴って、従来の放送形態では考えられなかったような様々なニーズあるいはサービスが生まれてきつつある。例えば、映画番組のみを放送するチャネルの場合、著作権保護のために受信側で無制限にコピーされないようなコピーガードの技術が重要となる。そこで、最近では、コピーガード等の情報をディジタル放送波に副次的情報として多重して搬送し、受信側でそれを利用させることが提案されている。このような副次的情報は、規格によって区別され、例えば、ＣＧＭＳ（ＩＥＣ１８８０）、ＷＳＳ（ＥＴＳ３００、２９４）等がある。なお、副次的情報の利用方法については、現在、様々な方法が模索されている。
【０００３】
ところで、ディジタル放送波は、ビットストリームの形態で受信側に入力される。そのため、受信側で上記のような副次的情報を利用しようとする場合、受信側では、当該ディジタル放送波に多重されている副次的情報をまず認識して分離する。その後、受信側は、ディジタル方法波からアナログ映像信号を生成し、分離した副次的情報を当該アナログ映像信号の帰線期間に挿入して出力する。このような処理を行うことによって、受信側の各種周辺機器（例えば、録画装置）において副次的情報を利用することが可能となる。上述したような一連の信号処理は、以下に例示するテレビジョン信号処理装置によって実行することができる。
【０００４】
図８は、従来のテレビジョン信号処理装置の一例を示すブロック図である。図８に示したテレビジョン信号処理装置は、デコード部１０１と、ＣＰＵインタフェース（以下、ＣＰＵＩ／Ｆと称す）１０３と、ＲＡＭインタフェース（以下、ＲＡＭＩ／Ｆと称す）１０５と、映像データ読み出し部１０６と、ＯＳＤデータ読み出し部１０７と、水平／垂直同期パルス生成部１０８と、映像データラインバッファ１０９と、ＯＳＤデータラインバッファ１１０と、合成部Ａ１１１と、ＣＧＭＳタイミング生成部１１２と、ＣＧＭＳデータバッファ１１３と、合成部Ｂ１１４とで構成されている。
【０００５】
デコード部１０１は、入力されたビデオストリームを処理して映像データを生成し、ＲＡＭＩ／Ｆ１０５を介してワークＲＡＭ１０２に出力する。ワークＲＡＭ１０２は、当該映像データを格納する。図８において、従来のテレビジョン信号処理装置の外部に示したＣＰＵ１０４は、ＯＳＤデータを生成する。ここで、ＯＳＤ（オン・スクリーン・ディスプレイ）とは、現に動作しているテレビ画面上に表示される、チャネルや受信モードや音量や文字放送の文字等のことである。ＯＳＤは、ＣＰＵ１０４が生成したＯＳＤデータに基づいて生成される。ＣＰＵ１０４が生成したＯＳＤデータは、ＣＰＵＩ／Ｆ１０３とＲＡＭＩ／Ｆ１０５とを介して、ワークＲＡＭ１０２に入力される。ワークＲＡＭ１０２は、入力された当該ＯＳＤデータを格納する。
【０００６】
映像データ読み出し部１０６は、所定の読み出しタイミングで、ワークＲＡＭ１０２に格納されている映像データを読み出す。このときの読み出しタイミングは、ＣＰＵ１０４からＣＰＵＩ／Ｆ１０３とＲＡＭＩ／Ｆ１０５とを介して入力されるワークＲＡＭ１０２の読み出しタイミング信号と、水平／垂直同期パルス生成部１０８が生成する垂直パルスおよび水平パルスとに基づいて規定される。ワークＲＡＭ１０２から読み出された映像データは、映像データラインバッファ１０９に一時的に蓄えられる。ＯＳＤデータ読み出し部１０７は、上記と同様にして、ワークＲＡＭ１０２からＯＳＤデータを読み出す。読み出されたＯＳＤデータは、一時的にＯＳＤデータラインバッファ１１０に蓄えられる。
【０００７】
合成部Ａ１１１は、映像データラインバッファ１０９から入力される映像データと、ＯＳＤデータラインバッファ１１０から入力されるＯＳＤデータとを合成する。ＣＰＵ１０４からＣＰＵＩ／Ｆ１０３を介して入力される、放送波から分離された副次的情報（ここでは、ＣＧＭＳとする）は、ＣＧＭＳデータバッファ１１３に一時的に蓄えられる。ＣＧＭＳタイミング生成部１１２は、水平／垂直同期パルス生成部１０８が生成した水平同期パルスと垂直同期パルスとに基づいて、合成タイミング信号を生成する。合成部１１４においてＣＧＭＳデータは、ＣＧＭＳタイミング生成部１１２が生成した合成タイミング信号に同期して、すでにＯＳＤデータが合成された映像データと合成される。
【特許文献１】特開平０８−１５４２１６号公報
【特許文献２】特開平０９−１３０７６６号公報
【発明の開示】
【発明が解決しようとする課題】
【０００８】
従来のテレビジョン信号処理装置においては、映像データにＯＳＤデータを合成する第１の合成部１１１に加えて、ＯＳＤデータが合成された映像データに、さらにコピーガード（ここでは、ＣＧＭＳ）等の副次的情報を合成する第２の合成部１１４が必要であった。このことは、構成の複雑化およびコストの上昇を招く。
また、従来のテレビジョン信号処理装置は、予め定めた規格のディジタル放送波のみを受信することを目的としていた。そのため、映像データ，ＯＳＤデータおよび副次的情報の合成タイミングが固定的に設定されている。その結果、受信したディジタル放送波の規格が予定している規格と異なっている場合、従来のテレビジョン信号処理装置は、そのような変化を認識できず、映像データ，ＯＳＤデータおよび副次的情報を適切なタイミングで合成することができなかった。
【０００９】
それ故に、本発明の目的は、受信した放送波の規格が変更しても、そのような変化に柔軟に対応することができ、しかも構成が簡単でかつ安価なテレビジョン信号処理装置を提供することである。
【課題を解決するための手段】
【００１０】
本発明は、上記のような目的を達成するために、以下に述べるような特徴を有している。第１の発明は、受信した放送波を処理してテレビジョン信号を生成するテレビジョン信号処理装置であって、受信した放送波から分離された映像データおよび副次的情報と、受信側で生成したＯＳＤデータとを格納する格納手段と、格納手段から映像データと副次的情報とＯＳＤデータとを個別的に読み出す読み出し手段と、受信した放送波の規格を検出する規格検出手段と、規格検出手段によって検出された規格に対応して、読み出し手段が格納手段から映像データとＯＳＤデータと副次的情報とを読み出すタイミングを個別的に制御するタイミング制御手段と、読み出し手段が読み出した映像データとＯＳＤデータと副次的情報とを合成してテレビジョン信号として出力する合成手段とを備えることを特徴とする。
【００１１】
上記のように、第１の発明によれば、受信した放送波の規格を検出し、この検出された規格に対応して、格納部からの映像データ，ＯＳＤデータおよび副次的情報を読み出すタイミングを個別的に制御するようにしているので、たとえ受信した放送波の規格が変化しても、そのような変化に対応して、映像データとＯＳＤデータと副次的情報とを常に適切なタイミングで合成することができる。
【００１２】
従来は、まず、有効表示領域において映像データおよびＯＳＤデータを合成した後、帰線期間において副次的情報を合成するような、２段階の合成処理工程を有している。これに対し、第１の発明では、有効表示領域および帰線領域を区別することなく、単に、一つの格納部から映像データ，ＯＳＤデータおよび副次的情報を所定のタイミングで個別的に読み出して合成するようにしているので、一の合成部で映像データ，ＯＳＤデータおよび副次的情報の合成処理ができることとなった。
【００１３】
第２の発明は、第１の発明に従属する発明であって、放送波は、ディジタル放送波であることを特徴とする。
【００１４】
第３の発明は、第１の発明に従属する発明であって、タイミング制御手段は、放送波の規格別に、読み出し手段の読み出しタイミングを規定するためのタイミング情報を記憶した記憶手段と、規格検出によって検出された規格に対応するタイミング情報を記憶手段から参照して、読み出し手段に与える参照手段とを含み、読み出し手段は、参照手段から与えられるタイミング情報に対応するタイミングで格納手段から映像データと副次的情報とＯＳＤデータとを個別的に読み出すことを特徴とする。
【００１５】
上記のように、第３の発明によれば、予め記憶されている放送波の規格に基づいて、映像データ，ＯＳＤデータおよび副次的情報読み出しタイミング情報が与えられる。放送波の規格の変化に伴い読み出しタイミングが変更されても、各読み出し部は、映像データ，ＯＳＤデータおよび副次的情報を規格検出部によって検出された規格に対応するタイミングで読み出すことができる。
【００１６】
第４の発明は、第３の発明に従属する発明であって、記憶手段は、放送波の規格別に映像データおよびＯＳＤデータの読み出しタイミングを規定するためのタイミング情報を記憶した第１のテーブルメモリと、放送波の規格別にかつ副次的情報の内容別に副次的情報の読み出しタイミングを規定するためのタイミング情報を記憶した第２のテーブルメモリとを含み、参照手段は、第１のテーブルメモリを参照することによって、映像データおよびＯＳＤデータの読み出しタイミングを規定するためのタイミング情報を読み出し手段に与え、第２のテーブルメモリを参照することによって、副次的情報の読み出しタイミングを規定するためのタイミング情報を読み出し手段に与えることを特徴とする。
【００１７】
上記のように、第４の発明によれば、放送波の規格の変更のみならず、副次的情報の内容の変更にも対応して、副次的情報の読み出しタイミングを制御することができる。
【００１８】
第５の発明は、第１の発明に従属する発明であって、読み出し手段によって読み出された副次的情報の出力レベルを変換するレベル変換手段をさらに備え、合成手段は、読み出し手段が読み出した映像データおよびＯＳＤデータに、レベル変換手段によって出力レベルが変換された副次的情報を合成することを特徴とする。
【００１９】
上記のように、第５の発明によれば、読み出した副次的情報の出力レベルを好ましい所定の出力レベルに変換することができる。
【００２０】
第６の発明は、第５の発明に従属する発明であって、レベル変換手段は、副次的情報の出力レベルを規格検出手段によって検出された規格ごとに決められたレベルに変換することを特徴とする。
【００２１】
上記のように、第６の発明によれば、読み出した副次的情報の出力レベルを、放送波の規格に応じた所定の出力レベルに変換することができる。
【発明の効果】
【００２２】
受信した放送波の規格が変化しても、そのような変化に対応して、映像データとＯＳＤデータと副次的情報とを常に適切なタイミングで合成することができる。
【発明を実施するための最良の形態】
【００２３】
以下本発明を実施するための最良の形態について、図面を参照しながら説明する。
（実施の形態１）
図１は、本発明の一実施形態に係るテレビジョン信号処理装置を備えたセット・トップ・ボックスの一例を示したブロック図である。図１において、アンテナ１は、ディジタル放送波を受信する。周波数選択部２は、アンテナ１で受信された放送波から、特定周波数の放送波を選択して復調部３へ出力する。復調部３は、周波数選択部２が選択した放送波を復調して、トランスポート・デコーダ４へ出力する。復調部３が復調した信号には、ビデオストリームと、オーディオストリームと、副次的情報と、その他の情報とが時分割多重されている。
【００２４】
復調部３が出力する信号は、トランスポート・ストリームと呼ばれる。トランスポート・デコーダ４は、トランスポート・ストリームにおいて時分割多重されている、ビデオストリームと、オーディオストリームと、副次的情報と、その他の情報とを、それぞれ分離する。
【００２５】
その後、ビデオストリームはビデオデコーダ２００（本発明の第１の実施形態におけるテレビジョン信号処理装置２００に相当）へ、オーディオストリームはオーディオデコーダ８へ、副次的情報ＳｓはＣＰＵ７へ、それぞれ出力される。コピー世代制御やコピーガードは、副次的情報（ＣＧＭＳ、ＷＳＳ等）に基づいて行われる。さらに、ＣＰＵ７は、ＯＳＤ（オン・スクリーン・ディスプレイ）データＳｏを生成し、当該ＯＳＤデータＳｏと上記副次的情報Ｓｓとをデータバス１１を介してビデオデコーダ２００へ出力する。
【００２６】
ここで、ＯＳＤ（オン・スクリーン・ディスプレイ）とは、現に動作しているテレビ画面上に表示される、チャネルや受信モードや音量や文字放送の文字等である。ＯＳＤは、ＣＰＵ７が生成したＯＳＤデータＳｏに基づいて生成される。なお、ワークＲＡＭ２０２については、テレビジョン信号処理装置２００とともに後述する。
【００２７】
図２は、図１におけるビデオデコーダ２００に相当する、本発明の第１の実施形態に係るテレビジョン信号処理装置の構成を示すブロック図である。図２において、本実施形態のテレビジョン信号処理装置２００は、デコード部２０１と、副次的情報認識部２０３と、副次的情報認識部２０３の内部にＲＯＭ２１２と、ＲＡＭインタフェース２０４と、映像データ読み出し部２０５と、ＯＳＤデータ読み出し部２０６と、副次的情報読み出し部２０７と、水平／垂直同期パルス生成部２０８と、合成部２０９と、副次的情報合成位置決定部２１０と、副次的情報合成位置決定部２１０の内部にＲＯＭ２１１とを備えている。
【００２８】
トランスポート・デコーダ４は、ビデオストリームをデコード部２０１に出力する。デコード部２０１は、入力されたビデオストリームを復号して映像データＳｖを生成する。デコード部２０１は、生成した映像データＳｖをＲＡＭインタフェース２０４を介してワークＲＡＭ２０２に格納する。ワークＲＡＭ２０２は、当該映像データＳｖを受け付け、格納する。副次的情報認識部２０３は、データバス１１から入力された副次的情報ＳｓとＯＳＤデータとを受け付け、当該副次的情報Ｓｓと当該ＯＳＤデータＳｏとをＲＡＭインタフェース２０４を介してワークＲＡＭ２０２に格納する。また、副次的情報認識部２０３は、トランスポート・デコーダ４が出力するビデオストリームに含まれている放送波情報Ｓｂを受け付ける。
【００２９】
ユーザが放送局のチャネルを変更すると、映像データＳｖ、ＯＳＤ情報Ｓｏ、および副次的情報Ｓｓの多重状態が変更され得る。また、チャネルの変更がなされなくても、放送局側が映像データＳｖおよび副次的情報Ｓｓの多重状態を変更する場合もある。放送波情報Ｓｂは、ユーザが現に視聴している放送局の放送波の規格および多重される副次的情報Ｓｓの多重状態の変更を認識するための情報である。
【００３０】
映像データ読み出し部２０５には、副次的情報認識部２０３から目標値が与えられ、水平／垂直同期パルス生成部２０８から水平および垂直同期パルスが与えられる。この映像データ読み出し部２０５は、水平同期パルスを計数する水平カウンタと、垂直同期パルスを計数する垂直カウンタと、これら水平カウンタおよび垂直カウンタの計数値と上記目標値とを比較する比較器とを含む。
【００３１】
そして、映像データ読み出し部２０５は、水平カウンタおよび垂直カウンタの計数値が目標値と一致したときに、ワークＲＡＭ２０２に格納されている映像データＳｖの読み出しを開始する。ＯＳＤデータ読み出し部２０６も映像データ読み出し部２０５と同様に、水平カウンタと、垂直カウンタと、比較器とを含み、水平カウンタおよび垂直カウンタの計数値が目標値と一致したときに、ワークＲＡＭ２０２に格納されているＯＳＤデータＳｏの読み出しを開始する。
【００３２】
副次的情報読み出し部２０７には、副次的情報合成位置決定部２１０から目標値が与えられ、水平／垂直同期パルス生成部２０８から水平および垂直同期パルスが与えられる。この副次的情報読み出し部２０７も映像データ読み出し部２０５と同様に、水平カウンタと、垂直カウンタと、比較器とを含み、水平カウンタおよび垂直カウンタの計数値が目標値と一致したときに、ワークＲＡＭ２０２に格納されている副次的情報Ｓｓの読み出しを開始する。
【００３３】
ここで、副次的情報認識部２０３が出力する目標値は、規格化された放送波ごとに予め決定されていて、ＲＯＭ２１２に規格数分だけ格納されている。副次的情報認識部２０３は、まず、放送波を認識するとＲＯＭ２１２を参照して当該放送波に対応する規格の目標値を選択する。映像データ読み出し部２０５およびＯＳＤデータ読み出し部２０６は、上記水平カウンタおよび垂直カウンタの計数値が当該目標値と一致したときに有効表示期間において、映像データＳｖおよびＯＳＤデータＳｏをＲＡＭインタフェース２０４を介してワークＲＡＭ２０２から読み出す。
【００３４】
次に、定常的に読み出されている映像データＳｖおよびＯＳＤデータＳｏに副次的情報Ｓｓを合成するための構成について説明する。ＲＯＭ２１１は、副次的情報認識部２０３が通知するテレビジョン信号の規格に応じて、帰線期間に合成すべき副次的情報Ｓｓを読み出すためのタイミングを規定する情報（目標値）を階層的に格納している。副次的情報Ｓｓは、放送波の規格のみならずその内容によっても帰線期間での合成位置が異なるため、放送波の規格を認識する副次的情報認識部２０３の動作のみでは副次的情報Ｓｓを読み出すための目標値を一義的に決定することができない。
【００３５】
そこで、ＲＯＭ２１１は、放送波の規格に対応する第１の階層と、当該放送波の規格における副次的情報Ｓｓの内容に対応した目標値を格納する第２の階層とを含む。副次的情報合成位置決定部２１０は、ＲＯＭ２１１を参照して目標値を選択する。副次的情報読み出し部２０７は、水平カウンタおよび垂直カウンタの計数値が目標値と一致したときに、副次的情報ＳｓをＲＡＭインタフェース２０４を介してワークＲＡＭ２０２から読み出す。
【００３６】
ところで、ユーザが視聴するチャネルを変更すると、放送波の規格が変化し得る。また、放送局が、放送波の規格を時間帯によって変更することもあり得る。放送波の規格が変化すると、映像データＳｖの目標値と、ＯＳＤデータＳｏの目標値と、副次的情報Ｓｓの目標値とを変更しなければならない。副次的情報認識部２０３は、放送波情報Ｓｂが入力されるので、放送波の規格の変更を認識することができる。また、ＲＯＭ２１２には、上述のように放送波の複数の規格に対応した複数の情報が格納されている。
【００３７】
副次的情報認識部２０３は、放送波情報Ｓｂから放送波の規格の変更を認識すると、ＲＯＭ２１２を参照して放送波変更後の目標値を新たに選択する。映像データ読み出し部２０５とＯＳＤデータ読み出し部２０６とは、水平カウンタおよび垂直カウンタの計数値が目標値と一致したときに、ワークＲＡＭ２０２に格納されている副次的情報Ｓｓの読み出しを開始する。副次的情報Ｓｓの読み出しは、副次的情報認識部２０３から通知される変更後の放送波の規格を認識し、ＲＯＭ２１１を参照して副次的情報Ｓｓを読み出すための新たな目標値を選択して副次的情報読み出し部２０７に出力する。
【００３８】
副次的情報読み出し部２０７は、水平カウンタおよび垂直カウンタの計数値が目標値と一致したときに、ワークＲＡＭ２０２に格納されている副次的情報Ｓｓの読み出しを開始する。その後、合成部２０９は、変更後の規格に対応する副次的情報の合成位置において、映像情報ＳｖにＯＳＤデータＳｏと副次的情報Ｓｓとを合成する。これにより、本実施形態のテレビジョン信号処理装置は、チャネルや放送方式の変更に伴う副次的情報Ｓｓの多重状態の変更に、柔軟に対応することができる。
【００３９】
以下に、副次的情報認識部２０３の動作の一例について、テレビジョン信号処理装置２００を示すブロック図２と、図３に示したフローチャートを参照して説明する。
図３は、図２において映像データＳｖ，ＯＳＤデータＳｏおよび副次的情報Ｓｓを、ワークＲＡＭ２０２から読み出すために、副次的情報認識部２０３が行う映像データＳｖ、ＯＳＤデータＳｏおよび副次的情報Ｓｓを読み出すための目標値選択に係る動作と、副次的情報が放送波に多重された場合に副次的情報合成位置決定部２１０に対して行う、放送波規格通知に係る動作を示したフローチャートである。
【００４０】
まず、副次的情報Ｓｓ，ＯＳＤデータＳｏおよび放送波情報Ｓｂが副次的情報認識部２０３に入力される（ステップＳ１）。副次的情報認識部２０３は、入力された副次的情報Ｓｓと放送波情報Ｓｂとを記憶する（ステップＳ２）。次に、副次的情報認識部２０３は、副次的情報ＳｓおよびＯＳＤデータＳｏを、ＲＡＭＩ／Ｆ２０４を介してワークＲＡＭ２０２に出力する（ステップＳ３）。副次的情報認識部２０３は、放送波情報Ｓｂに基づいて放送波の規格を認識する（ステップＳ４）。入力されている放送波情報Ｓｂによって、副次的情報認識部２０３は、放送波規格の変更を認識することができる。
【００４１】
ステップＳ５において放送波規格が変更されたか否かが判断される。放送波規格が変更されていると、動作はステップＳ１に戻る。放送波規格が変更されていないと、副次的情報認識部２０３は、現に選択されている放送波の放送波規格を記憶する（ステップＳ６）。ところで、副次的情報認識部２０３は、その内部にＲＯＭ２１２を備えている。
【００４２】
ＲＯＭ２１２には、ワークＲＡＭ２０２から読み出し部がデータを読み出すために、副次的情報認識部２０３が読み出し部に通知する、目標値が複数格納されている。副次的情報認識部２０３は、放送波の規格を認識するとＲＯＭ２１２を参照して放送波の規格に対応する目標値を選択する（ステップＳ７）。選択された目標値は、映像データ読み出し部２０５およびＯＳＤデータ読み出し部２０６に通知する（ステップＳ８）。
【００４３】
次に、副次的情報Ｓｓが入力されたか否かが判断される（ステップＳ９）。副次的情報Ｓｓが入力されると副次的情報認識部２０３は、副次的情報合成位置決定部２１１に対して、放送波の規格を通知する（ステップＳ１０）。副次的情報Ｓｓが入力されないと、動作は終了する。
【００４４】
ここで、図４、図５および図６を参照して、本実施形態のテレビジョン信号処理装置が副次的情報を映像情報の帰線期間に合成を開始するタイミングについて説明する。ここでは、副次的情報を伝送する二つの映像規格、すなわち、４８０Ｉ（以下、映像規格４８０Ｉという）と、水平周波数が映像規格４８０Ｉの２倍である４８０Ｐ（以下、映像規格４８０Ｐという）とについて説明する。
【００４５】
図４は、映像規格が４８０Ｉである場合に副次的情報が垂直同期パルスに対してどの位置に合成されるのかを示している。帰線期間の外部の左部分に示した波形図は、垂直同期パルスを表している。図４において、それぞれ有効表示領域の上部に描かれた合計二本のラインが当該合成位置を示す。ラインが描かれた位置は、それぞれ垂直同期パルスの立ち下がりから１７ライン目である。
【００４６】
図５は、映像規格が４８０Ｐの場合に、副次的情報が垂直同期パルスに対してどの位置に合成されるのかを示している。帰線期間の外部の左部分に示した波形図は、垂直同期パルスを表している。有効表示領域の上部の帰線期間に描かれたラインが副次的情報の合成位置を示す。ラインが描かれた位置は、垂直同期パルスの立ち下がりから３３ライン目である。
【００４７】
図６は、映像規格４８０Ｐに多重された副次的情報ＣＧＭＳと、映像規格４８０Ｉに多重された副次的情報ＷＳＳとが、それぞれ水平同期パルスに対してどの位置に合成されるのかを示している。図６に示した二つの波形図は、時間軸ｔ（μｓ）に対するスケールが異なるので、便宜上、相対応する時点を破線によって対応させた。
【００４８】
なお、図６において、副次的情報ＣＧＭＳおよび副次的情報ＷＳＳの両方とも、合成位置の基準となる時点は、ｔ＝０で、かつ水平同期パルスの立ち下がり部分である。副次的情報ＣＧＭＳは、ｔ＝１１．２（μｓ）から合成が開始される。副次的情報ＷＳＳは、ｔ＝１１．０（μｓ）から合成が開始される。
【００４９】
さらに、図６は、副次的情報ＣＧＭＳと、副次的情報ＷＳＳとのそれぞれにおけるピーク電圧を示している。なお、これらの波形およびピーク電圧は、規格により定められているものである。例えば、映像規格４８０Ｐおよび映像規格４８０Ｉの場合は、テレビ画面に白色が表示される白レベルの電圧は７００ｍＶである。また、映像規格４８０Ｐにおける副次的情報ＣＧＭＳのピークレベルは、４９０ｍＶであり、映像規格４８０Ｉ副次的情報ＷＳＳのピークレベルは５００ｍＶと定められている。
【００５０】
（実施の形態２）
図７は、本発明の第２の実施形態に係るテレビジョン信号処理装置の構成を示すブロック図である。図７に示したテレビジョン信号処理装置３００は、デコード部２０１と、副次的情報認識部３０１と、副次的情報認識部３０１の内部にＲＯＭ３０２と、ＲＡＭインタフェース２０４と、映像データ読み出し部２０５と、ＯＳＤデータ読み出し部２０６と、副次的情報読み出し部２０７と、水平／垂直同期パルス生成部２０８と、合成部２０９と副次的情報合成位置決定部２１０と、副次的情報合成位置決定部２１０の内部にＲＯＭ２１１と、レベル変換部３０３とを備えている。なお、第１の実施形態と同様の構成部分については、参照番号を同一とし、その説明を省略する。
【００５１】
本実施形態におけるテレビジョン信号処理装置３００は、副次的情報Ｓｓが多重されている放送波ごとに出力レベルの異なる副次的情報Ｓｓを規格化された出力レベルに変換して合成することができる。副次的情報認識部３０１は、図１におけるＣＰＵ７が生成したＯＳＤデータを基に、色変換情報を生成する（以下、ＯＳＤ色変換情報と称す）。以下、有効表示領域と帰線期間とに分けて説明する。
【００５２】
有効表示領域において、まず、ＯＳＤデータ読み出し部２０６が読み出したＯＳＤデータＳｏがレベル変換部３０３に入力される。副次的情報認識部３０１は、自ら生成したＯＳＤ色変換情報をレベル変換部３０３に出力する。レベル変換部３０３は、入力されたＯＳＤ色変換情報に基づき、ＯＳＤデータＳｏを所定の色でテレビジョンの画面に表示するために、ＯＳＤデータＳｏを変換して合成部２０９に出力する。合成部２０９は、色変換されたＯＳＤデータＳｏと、映像データ読み出し部２０５が読み出した映像データＳｖとを合成する。
【００５３】
一方、帰線期間において、副次的情報認識部３０１は、入力されている放送波情報Ｓｂに基づいて放送波の規格を認識することができる。なお、ＲＯＭ３０２には、第１の実施形態における副次的情報認識部２０３が格納している目標値に加えて、放送波の規格ごとに予め決定されている副次的情報Ｓｓの出力レベルに関する情報が格納されている。従って、副次的情報認識部３０１が放送波の規格を認識すると、ＲＯＭ３０２を参照して副次的情報Ｓｓの規格に対応した出力レベルを選択することができる。副次的情報Ｓｓの出力レベルは、規格ごとに決定されているからである。副次的情報認識部３０１は、当該選択した副次的情報Ｓｓの出力レベルをレベル変換部３０３に通知する。
【００５４】
レベル変換部３０３には、副次的情報認識部３０１が選択した副次的情報Ｓｓの出力レベル通知と、副次的情報読み出し部２０７が読み出した副次的情報Ｓｓとが入力される。レベル変換部３０３は、副次的情報認識部３０１が通知した副次的情報Ｓｓの出力レベルを受けて、例えば図６に示した、副次的情報ＣＧＭＳあるいは副次的情報ＷＳＳの出力レベルに変換して、合成部２０９に出力する。合成部２０９は、帰線期間に、出力レベルが変換された副次的情報Ｓｓを合成し、有効表示期間にはＯＳＤデータＳｏと映像データＳｖとを合成して映像信号として出力する。
【産業上の利用可能性】
【００５５】
本発明にかかるテレビジョン信号処理装置は、受信した放送波の規格が変化しても、そのような変化に対応して、映像データとＯＳＤデータと副次的情報とを常に適切なタイミングで合成することが可能になるので、受信した放送波を処理してテレビジョン信号を生成するテレビジョン信号処理装置等として有用である。
【図面の簡単な説明】
【００５６】
【図１】本発明の一実施形態に係るテレビジョン信号処理装置をビデオデコーダとして備えたセット・トップ・ボックスの構成を示すブロック図
【図２】本発明の第１の実施形態に係るテレビジョン信号処理装置の構成を示すブロック図
【図３】図２の副次的情報認識部２０３が行う映像データＳｖ、ＯＳＤデータＳｏおよび副次的情報Ｓｓを読み出すための目標値通知に係る動作を示したフローチャート
【図４】映像規格が４８０Ｉである場合における副次的情報の垂直同期パルスに対する合成位置を示す図
【図５】映像規格が４８０Ｐである場合における副次的情報の垂直同期パルスに対する合成位置を示す図
【図６】副次的情報ＣＧＭＳと副次的情報ＷＳＳとの水平同期パルスに対する合成位置を示す図
【図７】本発明の第２の実施形態に係るテレビジョン信号処理装置の構成を示すブロック図
【図８】従来のテレビジョン信号処理装置の構成を示すブロック図
【符号の説明】
【００５７】
１    アンテナ
２    周波数選択部
３    復調部
４    トランスポート・デコーダ
５    ワークＲＡＭ
６    主記憶部
７    ＣＰＵ
８    オーディオデコーダ
２００    第１の実施形態のテレビジョン信号処理装置
２０１    デコード部
２０２    ワークＲＡＭ
２０３    副次的情報認識部
２０４    ＲＡＭインタフェース
２０５    映像データ読み出し部
２０６    ＯＳＤ読み出し部
２０７    副次的情報読み出し部
２０８    水平／垂直同期パルス生成部
２０９    合成部
２１０    副次的情報合成位置決定部
２１１    ＲＯＭ
２１２    ＲＯＭ
３００    第２の実施形態のテレビジョン信号処理装置
３０１    副次的情報認識部
３０２    ＲＯＭ
３０３    レベル変換器
【図１】
2005253108.tif 000003
【図２】
2005253108.tif 000004
【図３】
2005253108.tif 000005
【図４】
2005253108.tif 000006
【図５】
2005253108.tif 000007
【図６】
2005253108.tif 000008
【図７】
2005253108.tif 000009
【図８】
2005253108.tif 000010